(57)【要約】　　　（修正有）【課題】従来の照明装置は硬質プラスチック製でコーン内部に一体的に取付けられているため、コーンと一緒に破損される場合が多く、一部が破損されてもＬＥＤが点灯しなくなってしまうため、そのたびに装置全部を修理交換せねばならず、極めて手数、経費がかかった。【解決手段】柔軟なプラスチックシートで略円錐形袋状のシートコーン６を形成し、該シートコーンの周面に複数のＬＥＤを配置し、その底辺部に防水構成の電池袋７を取付け、電池袋の電池及びスイッチ等の制御手段と各ＬＥＤを回路形成し、略円錐形籠状等のフレーム１１を形成し、上記フレームに上記シートコーンを套嵌着し、フレーム下部のボルト取付部にコーン段部のボルトをナット締めして取付けるように備えた、工事現場等用のコーンの照明装置によって課題を解決した。【選択図】図１
2004107924.tif 000002
【特許請求の範囲】
【請求項１】
工事現場等の周辺に自動車、通行者等用の標識として配置するコーン、即ち、中空円錐形のコーン部の底辺周囲に円形の段部と四角形の台座を一体的に延設し、段部内面の対象位置にボルトを埋設突出した硬質プラスチック製のコーンにおいて、その内部に嵌挿設置する照明装置であり、
柔軟なプラスチックシートでコーン部の内周面に沿って挿置する略円錐形袋状のシートコーンを形成し、該シートコーンの周面の設定位置に複数のＬＥＤ（発光ダイオード）を配置すると共に、底辺部に防水構成の電池袋を取付け、該電池袋に収納した電池及びスイッチ等の制御手段とシートコーンに配置した各ＬＥＤを回路形成し、
一方、細い金属棒等で上記シートコーンの略円錐形内面に見合った略円錐形籠状等のフレームを形成し、該フレームの下端にボルト取付部を形成して、該ボルト取付部を上記段部のボルトにナット締めすることによってフレームをコーンの内部に着脱自在に取付けるように備え、
上記フレームに上記シートコーンを套嵌着したものをコーン内部に挿入すると共に、フレーム下部のボルト取付部を段部のボルトにナット締めして取付けることによって、シートコーンをコーン部の内周面に沿って設置し、その各ＬＥＤをスイッチ等の制御手段で発光、点滅操作して、コーン部の内面を照明し、もって、遠隔点からコーン部の周面が内部から赤く光って見えるように備えたものである、
工事現場等用のコーンの照明装置。
【請求項２】
シートコーンのプラスチックシートを２重構成として、そのシート間に各ＬＥＤの回路配線をし、表面側シートの各ＬＥＤ設置位置毎にＬＥＤの先端を外方に向け露出してホールドするプラスチック等製のホルダーを取付け、必要に応じ該ホルダー及びＬＥＤ先端を覆って透明なプラスチックシートを固着して備えたものである、
請求項１の工事現場等用のコーンの照明装置。
【請求項３】
柔軟なプラスチックシート等で内部に電池及びスイッチ等の制御手段を収納し、電池を簡単に出入交換できるように形成した防水性の電池袋を設け、該電池袋をシートコーンの底部の一部に固着して備え、
コーンを使用のため地面等に設置し、或いはコーン同士を嵌合積重ねしたときに、該電池袋がコーンの段部の内面凹部に位置して、設置及び嵌合積重ねの邪魔にならないように備えたものである、
請求項１の工事現場等用のコーンの照明装置。
【発明の詳細な説明】
【０００１】
【産業上の利用分野】
現在、道路等の工事現場の周囲に配置して、自動車、通行者等に注意を促すための標識として、プラスチック製の赤色のコーンが広く使用されている。
該コーンは硬質プラスチック型成形で設けたものであり、中空円錐形のコーン部の底辺周囲に円形の段部と四角形の台座を一体的に延設し、段部内面の左右対称位置にボルトを埋設突出したものであり、使用時は地面等に台座で配置し、不使用時は嵩張らないように、その中空部を利用して複数個のコーンを嵌合積重ねるように備えたものである。
【０００２】
而して、上記コーンは通常の状態では照明手段を備えていないので、夜間暗所では全く見えなくなるため、従来から該コーン内部に照明手段を備えコーン内部を照明することによって、夜間暗所でも遠隔点から該コーンが赤く見えるようにして、自動車、通行者等に工事現場等を知らせることが行われている。
【０００３】
従来の照明手段としては、例えば、図７〜図９に示すように、硬質プラスチックの型成形で、コーン１のコーン部２の下方内径に見合った径の短円筒部１０１の底辺周囲にコーン１の段部２内径に見合った径及び幅で上空き円形の電池函部１０２を一体的に延設し、短円筒部１０１の頂面円周上にＬＥＤ１０を等間隔に配置すると共に、各ＬＥＤ１０と電池函部１０２内に収納設置した各電池１０３及びスイッチ等の制御手段１０４を配線１０５で回路形成して照明装置ａを設け、
【０００４】
該照明装置ａをその短円筒部１０１をコーン１のコーン部２の下方部に、電池函部１０２を段部３の内面凹部に夫々密に嵌合し、電池函部１０２のボルト取付部１０６に段部３のボルト５を挿通しナット締めして、コーン１内に照明装置ａを取付けたものであり、スイッチ等の制御手段操作１０４で各ＬＥＤ１０を点滅操作し、点灯時に各ＬＥＤ１０がコーン部２内部の中央から上部辺りを照明して、外部からコーン１が赤く光って見えるようにして、自動車、通行者等が現場の存在を認知できるようにしたものである。
【０００５】
また、各ＬＥＤは制御手段の操作で一斉点灯、滅灯、断続的点滅、設定時間毎の点滅、或いは円形列設のＬＥＤを短時間に順々に点滅操作して光が円形に回っているように見える操作等、目的に応じて自在に操作するものである。
【０００６】
【従来の課題】
コーンは工事現場等で極めて乱暴に取扱われる上に、自動車に跳ねられる等で破損されることが非常に多いが、上記従来の照明装置は硬質プラスチック製でコーン内部に一体的に取付けられているため、コーンと一緒に破損される場合が多く、一部が破損されてもＬＥＤが点灯しなくなってしまうため、そのたびに装置全部を修理交換せねばならず、手数、経費共に極めて多くかかり、特にコーン及び照明装置等はリース業者が取り扱う場合が多く採算割れを生ずる重大な課題があった。
【０００７】
電池及びスイッチ等の制御手段を電池函部内に収納設置、配線しているが、電池函部はコーンの段部に密に嵌合設置され、上空き状態であるため、コーン部内面に湿気、寒暖変化等よって発生する結露水が、該電池函部内に流入して電池及び制御手段を濡らす上に函内に溜まってしまうため、当然電気的故障を多発し、また錆によって腐蝕損傷して著しく装置の耐久性を損なう課題があった。
【０００８】
電池は比較的短時間毎に交換が必要であるが、そのたびにナットを外して装置全体をコーンから取外し、取付けせねばならず、コーンは１本だけでないため、多大の時間と手数を要する課題があった。
【０００９】
各ＬＥＤを装置の短円筒部の円周頂面にその先端をコーン内部の上方に向けて配置してあるため、光がコーン内で拡散してしまい、比較的近くでコーンを見るとコーン上部の内部が光って見えるが、光が弱く少し離れるとコーン自体を確認し難くなるため、特に自動車の運転者が遠方から認知しにくいという重大な課題があった。
【００１０】
【発明による課題の解決】
そこで、本発明は、従来のように衝撃で破損し易い硬質プラスチック製の装置を止めて、柔軟なプラスチックシートで設けることによって、硬質プラスチックのように乱暴な取扱いや自動車の衝突等でコーンが破損しても一緒に破損することをなくし、また、シートの一部が破れ、配線が一部切断し、一部ＬＥＤが点灯しなくなった場合でも、故障した箇処のＬＥＤを交換しシート、配線等を簡単に修理するだけで、従来のように装置全体を交換せねばならぬことをなくして、手間がかからない上に極めて経済的として、
【００１１】
また、シートコーン及び電池袋を柔軟なプラスチックで防水性に備えることによって、従来のようにコーン内面の結露水が電池、配線、制御手段等を濡らして電気不良を生じ、錆びて腐蝕して装置全体が短期間で駄目になるようなことをなくし、
【００１２】
特に、従来装置ではコーン内部をあまり明く照明できないため、自動車等で遠方からコーンを確認しにくいという重大な欠点があったが、本発明は各ＬＥＤをシートコーンの外周面にその先端を外方に向けて配置し、該シートコーン外周面をコーン部の内周面に密接して設置することによって、各ＬＥＤが直接コーン部の内面を照射して、コーンの外部からも各ＬＥＤの照明が明く見え、遠隔点からでもコーンを確実に見ることができるようにして、上記従来の課題を有効に解決したものである。
【００１３】
【課題を解決する手段】
即ち、本発明は、工事現場等の周辺に自動車、通行者等用の標識として配置するコーン、即ち、中空円錐形のコーン部の底辺周囲に円形の段部と四角形の台座を一体的に延設し、段部内面の対象位置にボルトを埋設突出した硬質プラスチック製のコーンにおいて、その内部に嵌挿設置する照明装置であり、
【００１４】
柔軟なプラスチックシートでコーン部の内周面に沿って挿置する略円錐形袋状のシートコーンを形成し、該シートコーンの周面の設定位置に複数のＬＥＤ（発光ダイオード）を配置すると共に、底辺部に防水構成の電池袋を取付け、該電池袋に収納した電池及びスイッチ等の制御手段とシートコーンに配置した各ＬＥＤを回路形成し、
【００１５】
一方、細い金属棒等で上記シートコーンの略円錐形内面に見合った略円錐形籠状等のフレームを形成し、該フレームの下端にボルト取付部を形成して、該ボルト取付部を上記段部のボルトにナット締めすることによってフレームをコーンの内部に着脱自在に取付けるように備え、
【００１６】
上記フレームに上記シートコーンを套嵌着したものをコーン内部に挿入すると共に、フレーム下部のボルト取付部を段部のボルトにナット締めして取付けることによって、シートコーンをコーン部の内周面に沿って設置し、その各ＬＥＤをスイッチ等の制御手段で発光、点滅操作して、コーン部の内面を照明し、もって、遠隔点からコーン部の周面が内部から赤く光って見えるように備えたものである、　工事現場等用のコーンの照明装置によって課題を解決したものである。
【００１７】
【実施例】
工事現場等の周辺に自動車、通行者等用の標識として配置するコーン１、即ち、中空円錐形のコーン部２の底辺周囲に円形の段部３と四角形の台座４を一体的に延設し、段部３内面の対象位置にボルト５を埋設突出した硬質プラスチック製のコーン１（図４〜図６を参照）において、その内部に嵌挿設置する照明装置Ａであり、
【００１８】
柔軟なプラスチックシートでコーン部２の内周面に沿って挿置する略円錐形袋状のシートコーン６を形成し、該シートコーン６の周面の設定位置に複数のＬＥＤ（発光ダイオード）１０を配置すると共に、底辺部に防水構成の電池袋７を取付け、該電池袋７に収納した電池８及びスイッチ等の制御手段９とシートコーン６に配置した各ＬＥＤ１０を回路形成し、（図１を参照）
【００１９】
一方、細い金属棒等で上記シートコーンの略円錐形内面に見合った略円錐形籠状等のフレーム１１を形成し、該フレーム１１の下端にボルト取付部１２を形成して、該ボルト取付部１２に上記段部３のボルト５を挿通しナット締めすることによってフレーム１１をコーン１の内部に着脱自在に取付けるように備え、（図３を参照）
【００２０】
上記フレーム１１に上記シートコーン６を套嵌着したものをコーン１内部に挿入すると共に、フレーム１１下部のボルト取付部１２に段部３のボルト５を挿通しナット締めして取付けることによって、シートコーン６をコーン部２の内周面に沿って設置し、その各ＬＥＤ１０をスイッチ等の制御手段９で発光、点滅操作して、コーン部２の内面を照明し、もって、遠隔点からコーン部２の周面が内部から赤く光って見えるように備えたものである、工事現場等用のコーンの照明装置Ａである。（図１〜図３を参照）
【００２１】
上記の照明装置Ａにおいて、例えば、図２示例のように、シートコーン６のプラスチックシートを２重構成として、そのシート６ａ、６ｂ間に各ＬＥＤ１０の回路配線１３をし、表面側シート６ａの各ＬＥＤ１０の設置位置毎にＬＥＤ１０の先端を外方に向け露出してホールドするプラスチック等製のホルダー１４を取付け、必要に応じ該ホルダー１４及びＬＥＤ１０先端を覆って透明なプラスチックシート１５を固着して備える。
【００２２】
また、例えば、電池袋７を、防水性の柔軟なプラスチックシート等で、内部に電池８及びスイッチ等の制御手段９を収納し、電池８を簡単に出入交換できるように設け、該電池袋７をシートコーン６の底部の一部に固着して備える。
【００２３】
該電池袋７は、例えば、布蓋１６の布テープファスナー１７等で開閉自在に備え、電池８の交換は布蓋１６を開けて簡単に出来るように、またスイッチ等の制御手段９のメンテナンスも簡単に出来る用に備える。
【００２４】
そして、コーン１を使用のため地面等に設置し、或いはコーン１同士を嵌合積重ねしたときに、該電池袋７がコーン１の段部３の内面凹部に位置して、コーンの設置及び嵌合積重ねの邪魔にならないように備えたものである。
【００２５】
【作用】
シートコーン６のプラスチックシートを２重６ａ、６ｂにした間に配線１３して表面側シート６ａの設定位置に配設したホルダー１４に取付けた各ＬＥＤ１０間を回路形成し、該回路を電池袋７内の各電池８及びスイッチ等の制御手段９に結線する。
【００２６】
該シートコーン６をフレーム１１に套嵌したのち、そのシートコーン６及びフレーム１１をコーン１のコーン部２内に挿入し、フレーム１１のボルト取付部１２に段部３のボルト５を挿通しナット締めして取付け、シートコーン６の下端に取付けた電池袋７内に電池８をセットする。
【００２７】
上記のようにコーン１内に本発明照明装置Ａを取付けたのち、制御手段９を操作して各ＬＥＤ１０を点滅操作する。
点滅操作の内容は制御手段９に従って適宜設定し、例えば、一斉点滅、タイマー点滅、断続点滅、順々点滅、或いは短時間に隣接したＬＥＤ１０を次々に点滅して恰も光が円形に回って見えるようにするなど、目的に応じて種々操作する。
【００２８】
電池袋７は防水性に備えてコーン１内の結露水の影響を受けないように備え、また、シートコーン６の下端に垂設して、コーン１を地面等に設置したとき段部３の凹所内に位置し、コーン１を嵌合積重ねたときも該凹所内に位置するため邪魔にならない。
【００２９】
【効果】
本発明装置は柔軟なプラスチックシートで設けたので、硬質プラスチックのように乱暴な取扱いや自動車の衝突等でコーンが破損しても一緒に破損することが少ない。
【００３０】
また、フレームは細い金属棒等で設けたため、衝突等で変形しても容易に原形に曲げ直しできる。
【００３１】
シートコーンの一部が破れ、配線が一部切断し、一部ＬＥＤが点灯しなかった場合でも、故障した箇処のＬＥＤを交換しシート、配線等を簡単に修理するだけで済み、従来のように装置全体を交換せねばならぬようなことがなく、よって、手間がかからない上に極めて経済的である。
【００３２】
シートコーン及び電池袋は柔軟なプラスチックで防水性に備えたので、従来のようにコーン内面の結露水が電池、配線、制御手段等を濡らして電気不良を生じたり、錆びて腐蝕して装置全体が短期間で駄目になるようなことがない。
【００３３】
従来は電池交換、スイッチ等の制御手段のメンテナンス等は装置全体をコーンから取外してしなければならぬため、また、コーンは１個だけではないため、非常に時間がかかって面倒であったが、本発明は装置（シートコーン及びフレーム）をコーンから取外すことなしに、電池袋の布蓋をあけて簡単に電池を交換し或いは制御手段のメンテナンスを行い得るので極めて便利である。
【００３４】
従来装置ではコーン内部をあまり明く照明できないため、自動車等で遠方からコーンを確認しにくいという重大な欠点があったが、その点本発明は各ＬＥＤをシートコーンの外周面にその先端外方に向けて配置したものであり、該シートコーン外周面がコーン部の内周面に密接して設置されるため、各ＬＥＤが直接コーン部の内面を照射することになり、よって、コーンの外部からも各ＬＥＤの照明が明く見え、遠隔点からでもコーンを明く確実に見ることができる極めて優れた特徴がある。
【図面の簡単な説明】
【図１】本発明実施例照明装置の正面図、平面図、及び右側面図。
【図２】図１のＢ−Ｂ線断面矢視拡大図。
【図３】フレームの正面図、及び平面図。
【図４】コーンの斜視図。
【図５】図４の縦断面図。
【図６】図４の底面図。
【図７】従来の照明装置の正面図。
【図８】図７の平面図。
【図９】図８のＣ−Ｃ線断面矢視図。
【符号の説明】
Ａ　　本発明実施例照明装置
１　　コーン
２　　コーン部
３　　段部
４　　台座
５　　ボルト
６　　シートコーン
６ａ　　表面側シート
６ｂ　　裏面側シート
７　　電池袋
８　　電池
９　　スイッチ等の制御手段
１０　ＬＥＤ（発光ダイオード）
１１　フレーム
１２　ボルト取付部
１３　配線
１４　ホルダー
１５　透明プラスチック
１６　布蓋
１７　布テープファスナー
以下従来例
ａ　　　　　従来の照明装置
１０１　短円筒部
１０２　電池函部
１０３　電池
１０４　スイッチ等の制御手段
１０５　配線
１０６　ボルト取付部
【図１】
2004107924.tif 000003
【図２】
2004107924.tif 000004
【図３】
2004107924.tif 000005
【図４】
2004107924.tif 000006
【図５】
2004107924.tif 000007
【図６】
2004107924.tif 000008
【図７】
2004107924.tif 000009
【図８】
2004107924.tif 000010
【図９】
2004107924.tif 000011